(57)【特許請求の範囲】
【請求項１】
複数の監視対象にそれぞれ設けられた複数の被監視サイトと、前記各監視対象を遠隔的に監視する監視サイトを備え、前記各被監視サイトは、前記各監視対象を撮影する監視カメラと、前記監視カメラで撮影された映像を記録する記録装置と、広域災害が発生したときにその旨を知らせる信号を前記監視サイトへ送信する広域災害信号手段とを有し、前記監視サイトは、前記各被監視サイトの前記記録装置に通信回線を介して接続され、これらの記録装置に記録された映像を表示する監視端末装置を有する映像監視システムにおいて、
前記監視サイトは、
前記広域災害信号手段から前記信号を受信した場合、前記監視端末装置の画面を広域災害用の表示画面として設定された広域災害画面に変更する画面変更手段を有し、
前記広域災害画面は、
広域災害が発生したときに前記各被監視サイトの前記監視カメラによって撮影された複数の静止画を、予め設定された優先順位に基づいて配列して表示する静止画表示部と、
この静止画表示部によって表示された前記複数の静止画のうち選択された静止画に対応する動画を表示する動画表示部と、
発生した広域災害に対する対応状況の一覧を表示する一覧表示部と、
発生した広域災害に対する対応を保留する保留状態として処理する保留ボタンと、
発生した広域災害に対する対応が完了した完了状態として処理する完了ボタンとを含み、
前記監視端末装置は、前記完了ボタンが操作されたとき、前記複数の静止画のうち選択された静止画を削除した後、前記一覧表示部に表示された広域災害に対する対応状況の一覧において同時期に発生した広域災害の全件に対して前記保留ボタンによる処理あるいは前記完了ボタンによる処理が行われたかどうかを判断し、前記一覧表示部に表示された広域災害に対する対応状況の一覧において同時期に発生した広域災害の全件に対して前記保留ボタンによる処理あるいは前記完了ボタンによる処理が行われていないと判断した場合に、前記静止画表示部に表示された各静止画を優先順位に基づいて再度配列することを特徴とする映像監視システム。
【請求項２】
請求項１に記載の映像監視システムにおいて、
前記広域災害画面は、日時を指定する日時指定部を含み、
前記動画表示部は、この日時指定部によって指定された日時以降の動画を表示することを特徴とする映像監視システム。
【発明の詳細な説明】
【技術分野】
【０００１】
本発明は、監視対象に設けられた被監視サイトを遠隔的に監視する監視サイトを備えた映像監視システムに係り、特に広域災害が発生したときの監視対象の映像を監視する映像監視システムに関する。
【背景技術】
【０００２】
従来より、駅舎やビル等を監視する監視業務において、駅舎やビル等の監視対象を遠隔的に監視する映像監視システムが用いられている。この映像監視システムでは、監視される側のサイト（被監視サイト）は、監視対象を撮影する監視カメラと、この監視カメラで撮影された映像を記録する記録装置とを備えることにより、人件費を削減するために常駐警備員を配置しないようにしている。
【０００３】
一方、駅舎の監視拠点やビルオーナーの事務所等のように監視する側のサイト（監視サイト）は、被監視サイトの記録装置に記録された映像を表示する監視端末装置を備え、監視サイトに駐在する監視者が監視端末装置を用いて画面に映し出された監視対象の映像を確認している。
【０００４】
ここで、被監視サイトは、広域災害が発生したときにその旨を知らせる信号を監視サイトへ送信する広域災害信号手段を備え、この広域災害信号手段は、例えば広域災害として地震が発生したときにその揺れを検知する地震計センサから成っている。この場合、被監視サイトの記録装置は、地震計センサから検知された地震による揺れの信号をトリガとして広域災害が発生したときの静止画を保存し、監視者が記録装置から静止画を取り出して任意に確認するようにしている。
【０００５】
従って、監視者は、監視端末装置の画面から広域災害を受けた監視対象の映像を確認した場合には、警備会社の警備員や巡回担当者を当該被監視サイトに派遣して対応させるようにしている。このように、広域災害が発生した場合には、監視者は警備員や巡回担当者に対して的確な指示を行う必要があり、特に監視対象が複数ある場合には監視対象の映像の確認作業に多くの時間がかかることが問題になっていた。
【０００６】
そこで、監視カメラの映像を含む予め定められた複数の情報を収集する手段と、これらの情報を例えば監視サイトの監視端末装置の同一画面上に複数の表示部により同時に表示する表示制御手段とを備え、監視者はこの表示制御手段によって表示された複数の情報を同時に目視することにより、監視対象が複数あってもその様子を容易に確認することができる管理システムが従来技術の１つとして提案されている（例えば、特許文献１参照）。
【先行技術文献】
【特許文献】
【０００７】
【特許文献１】特開２０００−２５１１７８号公報
【発明の概要】
【発明が解決しようとする課題】
【０００８】
上述した特許文献１に開示された従来技術の管理システムでは、台風や地震等の広域災害が発生した場合には、その影響が広い範囲に及ぶので、各場所に設置された地震計センサ等の広域災害信号手段による信号が多く出力され、表示制御手段によって監視端末装置の同一画面上に同時に複数の情報が表示されることになる。これにより、監視者は監視端末装置の画面から多くの監視対象の様子を１度に確認することができるが、画面に映し出された複数の情報のうちどの情報が重要であるのかまで目視で見分けるのは困難である。そのため、被害を受けた監視対象のうち迅速な対応が求められる監視対象があるにも拘らず、この監視対象が後回しにされることが懸念されている。
【０００９】
本発明は、このような従来技術の実情からなされたもので、その目的は、被監視サイトの監視対象に対して適切な対応を行うことができる映像監視システムを提供することにある。
【課題を解決するための手段】
【００１０】
上記の目的を達成するために、本発明の映像監視システムは、複数の監視対象にそれぞれ設けられた複数の被監視サイトと、前記各監視対象を遠隔的に監視する監視サイトを備え、前記各被監視サイトは、前記各監視対象を撮影する監視カメラと、前記監視カメラで撮影された映像を記録する記録装置と、広域災害が発生したときにその旨を知らせる信号を前記監視サイトへ送信する広域災害信号手段とを有し、前記監視サイトは、前記各被監視サイトの前記記録装置に通信回線を介して接続され、これらの記録装置に記録された映像を表示する監視端末装置を有する映像監視システムにおいて、前記監視サイトは、前記広域災害信号手段から前記信号を受信した場合、前記監視端末装置の画面を広域災害用の表示画面として設定された広域災害画面に変更する画面変更手段を有し、前記広域災害画面は、広域災害が発生したときに前記各被監視サイトの前記監視カメラによって撮影された複数の静止画を、予め設定された優先順位に基づいて配列して表示する静止画表示部と、この静止画表示部によって表示された前記複数の静止画のうち選択された静止画に対応する動画を表示する動画表示部と、発生した広域災害に対する対応状況の一覧を表示する一覧表示部と、発生した広域災害に対する対応を保留する保留状態として処理する保留ボタンと、発生した広域災害に対する対応が完了した完了状態として処理する完了ボタンとを含み、前記監視端末装置は、前記完了ボタンが操作されたとき、前記複数の静止画のうち選択された静止画を削除した後、前記一覧表示部に表示された広域災害に対する対応状況の一覧において同時期に発生した広域災害の全件に対して前記保留ボタンによる処理あるいは前記完了ボタンによる処理が行われたかどうかを判断し、前記一覧表示部に表示された広域災害に対する対応状況の一覧において同時期に発生した広域災害の全件に対して前記保留ボタンによる処理あるいは前記完了ボタンによる処理が行われていないと判断した場合に、前記静止画表示部に表示された各静止画を優先順位に基づいて再度配列することを特徴としている。
【００１１】
このように構成した本発明は、各被監視サイトの監視カメラによって撮影された映像は記録装置に記録されており、これらの映像は監視サイトの監視端末装置によって静止画及び動画として表示されるので、監視者は表示された映像を確認することができる。ここで、広域災害が発生した場合には、広域災害信号手段によって信号が出力されるので、監視端末装置の画面は画面変更手段によって広域災害画面に切り替わる。
【００１２】
このとき、監視端末装置の画面上に映し出された広域災害画面の静止画表示部に、各静止画が予め設定された優先順位で配列されるので、監視者は早急に確認すべき監視対象の映像を容易に見分けることができる。従って、監視者は、監視端末装置の画面上に映し出された広域災害画面において静止画表示部の各静止画の中から優先順位の高い静止画を選択することにより、選択された静止画に対応する動画が動画表示部に表示されるので、監視者はこの動画から広域災害を受けた監視対象の様子を詳細に知ることができる。これにより、被監視サイトの監視対象に対して適切な対応を行うことができる。
【００１３】
また、本発明に係る映像監視システムは、前記発明において、前記広域災害画面は、日時を指定する日時指定部を含み、前記動画表示部は、この日時指定部によって指定された日時以降の動画を表示することを特徴としている。このように構成すると、監視者は、確認したい動画の日時を日時指定部で指定することにより、動画の不要な部分を省くことができるので、被監視サイトにおける監視対象の映像の確認作業にかかる時間を削減することができる。
【発明の効果】
【００１４】
本発明の映像監視システムによれば、広域災害が発生した場合、画面変更手段によって監視端末装置の画面上に広域災害画面が映し出され、この広域災害画面の静止画表示部に複数の監視対象の静止画が予め設定された優先順位で配列される。そのため、監視者はこの優先順位に応じて静止画を選択することにより、選択された静止画に対応する動画が動画表示部で表示されるので、監視者はこの動画から広域災害を受けた監視対象の様子を詳細に知ることができる。これにより、被監視サイトの監視対象に対して適切な対応を行うことができ、従来よりも監視業務の確実性を向上させることができる。
【図面の簡単な説明】
【００１５】
【図１】本発明に係る映像監視システムの一実施形態の構成を示す図である。
【図２】図１に示すパソコンに映し出された広域災害画面を説明する図である。
【図３】図１に示すパソコンに映し出された通常発報画面を説明する図である。
【図４】本実施形態におけるパソコンの画面上の処理動作を説明するフローチャートである。
【図５】本実施形態における各駅舎サイトのカメラサーバの動作を説明するフローチャートである。
【発明を実施するための形態】
【００１６】
以下、本発明に係る映像監視システムを実施するための形態を図に基づいて説明する。
【００１７】
本発明に係る映像監視システムの一実施形態は、図１に示すように複数の監視対象にそれぞれ設けられた複数の被監視サイトと、各監視対象を遠隔的に監視する監視サイトを備えている。各被監視サイトは、例えば各地域の駅舎に設けられた駅舎サイト１から構成されている。
【００１８】
各駅舎サイト１は、各駅舎の監視対象を撮影する複数の監視カメラ２と、これらの監視カメラ２で撮影された映像を記録する記録装置３と、監視サイト７との通信を可能にするインターネット網１４に接続されたルータ５と、記録装置３及びルータ５にそれぞれ接続され、記録装置３を介して監視カメラ２によって撮影された監視対象の映像を取り込んでインターネット網１４に送信するカメラサーバ４とを有している。なお、記録装置３に記録される映像は映像データとして格納される。
【００１９】
また、各駅舎サイト１は、広域災害が発生したときにその旨を知らせる信号を監視サイト７へ送信する広域災害信号手段を有している。この広域災害信号手段は、例えば広域災害として地震が発生したときにその揺れの信号を検出するセンサ６から成っており、このセンサ６はカメラサーバ４に接続されている。
【００２０】
一方、監視サイト７は、各駅舎サイト１の記録装置３にインターネット網１４を介して接続され、これらの記録装置３に記録された映像を表示する監視端末装置、例えばパソコン８を有している。具体的には、監視サイト１は、駅舎サイト１と同様にインターネット網１４に接続されたルータ９を有し、パソコン８がこのルータ９に接続されている。
【００２１】
従って、各駅舎サイト１の記録装置３に記録された映像がカメラサーバ４によってインターネット網１４を通じてパソコン８へ送信される。そして、パソコン８は、受信した映像を画面に表示するようにしている。なお、監視サイト７でパソコン８の画面から各駅舎サイト１の映像を監視する監視者は、パソコン８を操作することによって各駅舎サイト１の記録装置３の制御も行えるようになっている。
【００２２】
本実施形態は、各駅舎サイト１の記録装置３に記録された映像を収集するデータセンタ１０を備えている。このデータセンタ１０は、インターネット網１４に接続されたルータ１３と、このルータ１３に接続され、各駅舎サイト１のカメラサーバ４がセンサ６から地震の揺れの信号を取り込んだ時の日時の情報、及び関連する監視カメラ２の番号等の情報を記憶するＣＰＵ１１と、このＣＰＵ１１に接続され、インターネット網１４に送信された各種の情報を蓄えるＤＢ（データベース）１２とを有している。このＤＢ１２は、例えば各駅舎サイト１の記録装置３に記録された映像がカメラサーバ４に取り込まれた際に、この映像をインターネット網１４を通じて格納するようにしている。
【００２３】
本実施形態では、図２に示すように監視サイト７は、各駅舎サイト１のセンサ６から信号を受信した場合、パソコン８の画面を広域災害用の表示画面として設定された広域災害画面８Ａに変更する画面変更手段（図示せず）を有している。また、広域災害画面８Ａは、地震が発生したときに各駅舎サイト１の監視カメラ２によって撮影された複数の静止画を表示する静止画表示部８Ａａと、この静止画表示部８Ａａによって表示された複数の静止画のうち選択された静止画に対応する動画を表示する動画表示部８Ａｂとを含んでいる。上述した静止画表示部８Ａａは、各静止画を予め設定された優先順位に基づいて配列するようになっている。
【００２４】
広域災害画面８Ａは、静止画表示部８Ａａ及び動画表示部８Ａｂの他に、例えば各駅舎サイト１の記録装置３に対して遠隔的な操作を開始する操作開始ボタン８Ａｃと、この操作開始ボタン８Ａｃによって開始された遠隔的な操作から復帰させる復帰ボタン８Ａｅと、動画表示部８Ａｂに表示された動画の再生を開始又は静止させる開始／静止ボタン８Ａｄと、動画表示部８Ａｂに表示された動画を逆再生させる逆再生ボタン８Ａｆとを有している。
【００２５】
本実施形態では、広域災害画面８Ａは日時を指定する日時指定部８Ａｇを含み、この日時指定部８Ａｇによる日時の指定は、例えば監視者がパソコン８に付属されたキーボード等の操作ボタン（図示せず）を操作することによって行われる。そして、広域災害画面８Ａは、日時指定部８Ａｇによって指定された日時に対して、記録装置３に記録された映像の中から該当する日時以降の映像を検索する検索ボタン８Ａｈを有し、動画表示部８Ａｂは、監視者がこの検索ボタン８Ａｈを操作することにより、日時指定部Ａｇで指定された日時以降の動画を表示するようになっている。
【００２６】
また、広域災害画面８Ａは、発生した広域災害に対する対応状況の一覧を表示する一覧表示部８Ａｉと、発生した広域災害の緊急性が低い場合に保留状態として処理する保留ボタン８Ａｊと、発生した広域災害の対応が完了した場合に完了状態として処理する完了ボタン８Ａｋとを有している。
【００２７】
ここで、静止画表示部８Ａａに表示される各静止画の優先順位は、例えば各駅舎サイト１の常駐者の有無や駅舎サイト１へ担当者を派遣するのにかかる時間等を数値化することによって各駅舎サイト１における監視対象の重要度を算出し、算出された重要度に基づいて決定される。そして、静止画表示部８Ａａは、決定された優先順位が高い順に各静止画を画面の上部から下部に向かって並べるようにしている。なお、広域災害画面８Ａは、動画表示部８Ａｂに表示されている動画の１つ前に表示された動画に戻る前ボタン８Ａｌと、動画表示部８Ａｂに表示されている動画の１つ後に表示された動画に進む次ボタン８Ａｍとを有している。
【００２８】
本実施形態では、図３に示すように監視サイト７は、各駅舎サイト１のセンサ６から信号を受信するまで、パソコン８の画面を通常用の表示画面として設定された通常発報画面８Ｂを表示するようにしている。また、通常発報画面８Ｂは、地震が発生していないときに各駅舎サイト１のうち発報された駅舎サイトの監視カメラ２で撮影された静止画を表示する静止画表示部８Ｂａと、この静止画表示部８Ｂａによって表示された静止画に対応する動画を表示する動画表示部８Ｂｂとを含んでいる。
【００２９】
通常発報画面８Ｂは、静止画表示部８Ｂａ及び動画表示部８Ｂｂの他に、例えば各駅舎サイト１の記録装置３に対して遠隔的な操作を開始する操作開始ボタン８Ｂｇと、この操作開始ボタン８Ｂｇによって開始された遠隔的な操作から復帰させる復帰ボタン８Ｂｈと、動画表示部８Ｂｂに表示された動画の再生を開始又は静止させる開始／静止ボタン８Ｂｉと、動画表示部８Ｂｂに表示された動画を逆再生させる逆再生ボタン８Ｂｊとを有している。
【００３０】
本実施形態では、通常発報画面８Ｂは日時を指定する日時指定部８Ｂｋを含み、この日時指定部８Ｂｋによる日時の指定は、例えば監視者がパソコン８に付属されたキーボード等の操作ボタン（図示せず）を操作することによって行われる。そして、通常発報画面８Ｂは、日時指定部８Ｂｋによって指定された日時に対して、記録装置３に記録された映像の中から該当する日時以降の映像を検索する検索ボタン８Ｂｌを有し、動画表示部８Ｂｂは、監視者がこの検索ボタン８Ｂｌを操作することにより、日時指定部８Ｂｋで指定された日時以降の動画を表示するようになっている。
【００３１】
また、通常発報画面８Ｂは、通常発報に対する対応状況の一覧を表示する一覧表示部８Ｂｍと、通常発報の緊急性が低い場合に保留状態として処理する保留ボタン８Ｂｆと、通常発報の対応が完了した場合に完了状態として処理する完了ボタン８Ｂｅと、動画表示部８Ｂｂに表示されている動画の１つ前に表示された動画に戻る前ボタン８Ｂｃと、動画表示部８Ｂｂに表示されている動画の１つ後に表示された動画に進む次ボタン８Ｂｄと、通常発報の全件の対応が完了した場合に完了状態として処理する全件完了ボタン８Ｂｎとを有している。
【００３２】
次に、本実施形態におけるパソコンの画面上の処理動作を図４のフローチャートに基づいて説明する。
【００３３】
本実施形態は、図４に示すように広域災害として地震が発生した場合に、各駅舎サイト１のセンサ６が地震の揺れを検出すると、その信号をカメラサーバ４へ送信する。各カメラサーバ４はセンサ６から信号を受信すると、当該信号をインターネット網１４を介してデータセンタ１０と監視サイト７のパソコン８へ送信する（ステップ（以下、Ｓと記す）１）。
【００３４】
ここで、パソコン８は、手順Ｓ１において信号を受信するまで通常発報画面８Ｂを表示しており、センサ６からの信号の受信の有無を確認することにより、地震が発生したかどうかを判断する（Ｓ２）。このとき、パソコン８は、地震が発生していないと判断すると、通常発報画面８Ｂの表示を継続させる（Ｓ３）。そして、監視サイト７の監視者が通常発報画面８Ｂの完了ボタン８Ｂｅを操作して通常発報に関する処理を完了することにより（Ｓ４）、対応を完了して本実施形態におけるパソコンの画面上の処理動作を終了する。一方、監視者が通常発報に関する処理を完了しなければ（Ｓ４）、手順Ｓ３の動作に戻る。
【００３５】
手順Ｓ２においてパソコン８は、地震が発生したと判断すると、画面変更手段によって画面に表示された通常発報画面８Ｂを広域災害画面８Ａへ変更すると共に、一覧表示部８Ａｉの地震に対する対応状況の一覧に発生した地震を追加して表示する（Ｓ５）。次に、パソコン８は、静止画表示部８Ａａに各静止画を予め設定された優先順位に基づいて優先順位が高い順に各静止画を画面の上部から下部に向かって配列し、これらの静止画のうち監視者によって選択されるまで優先順位が最も高い静止画、すなわち画面の最上部の静止画に対応する動画を動画表示部８Ａｂに表示する（Ｓ６）。そして、パソコン８は監視者によって静止画表示部８Ａａの静止画が選択されたかどうかを判断する（Ｓ７）。
【００３６】
このとき、パソコン８は静止画表示部８Ａａの静止画が選択されたと判断した場合には、選択された静止画に対応する動画を動画表示部８Ａｂに表示する（Ｓ８）。従って、動画表示部８Ａｂには、選択された静止画を撮影した監視カメラ２の現在の映像が映し出されることになるが、監視者が日時指定部８Ａｇによって日時を指定した場合には、その日時以降の動画を記録装置３に記録された映像から取り出して表示することになる。
【００３７】
次に、監視者は、パソコン８に表示された動画表示部８Ａｂの動画を確認し、担当者を地震を受けた現地へ派遣する必要があるかどうかを判断する（Ｓ９）。このとき、監視者は担当者を現地へ派遣する必要がないと判断した場合には、担当者を現地へ派遣せず、担当者を現地へ派遣する必要があると判断した場合には、担当者に連絡して現地へ派遣するように指示し（Ｓ１０）、状況に応じて保留ボタン８Ａｊあるいは完了ボタン８Ａｋを操作する。
【００３８】
次に、パソコン８は保留ボタン８Ａｊあるいは完了ボタン８Ａｋが操作されたかどうかを判断する（Ｓ１１）。また、パソコン８は、手順Ｓ７において静止画表示部８Ａａの静止画が選択されていないと判断した場合にも、保留ボタン８Ａｊあるいは完了ボタン８Ａｋが操作されたかどうかを判断する。
【００３９】
このとき、パソコン８は、保留ボタン８Ａｊが操作されたと判断した場合には、一覧表示部８Ａｉの地震に対する対応状況の一覧において手順Ｓ５で追加して表示された地震に対して保留状態が表示される。一方、パソコン８は、完了ボタン８Ａｋが操作されたと判断した場合には、一覧表示部８Ａｉの地震に対する対応状況の一覧において手順Ｓ５で追加して表示された地震を削除すると共に、手順Ｓ７において選択された静止画を削除する。
【００４０】
次に、パソコン８は、一覧表示部８Ａｉに表示された地震に対する対応状況の一覧において同時期に発生した地震の全件に対して上述の保留あるいは完了の処理が行われたどうかを判断する（Ｓ１２）。このとき、パソコン８は、一覧表示部８Ａｉに表示された地震に対する対応状況の一覧において同時期に発生した地震の全件に対して保留又は完了の処理が行われていないと判断した場合に、静止画表示部８Ａａに表示された各静止画を優先順位に基づいて再度配列し（Ｓ１３）、手順Ｓ８〜Ｓ１２の動作を繰り返す。
【００４１】
そして、パソコン８は、一覧表示部８Ａｉに表示された地震に対する対応状況の一覧において同時期に発生した地震の全件に対して保留又は完了の処理が行われたと判断した場合には、画面変更手段によって画面に表示された広域災害画面８Ａを通常発報画面８Ｂへ変更し、手順Ｓ３の動作に戻る。
【００４２】
次に、本実施形態における各駅舎サイトのカメラサーバの動作を図５のフローチャートに基づいて詳細に説明する。
【００４３】
本実施形態では、図５に示すように広域災害として地震が発生した場合に、各駅舎サイト１のセンサ６が地震の揺れを検出すると（Ｓ１０１）、その信号をカメラサーバ４へ送信する。カメラサーバ４はセンサ６から信号を受信すると（Ｓ１０２）、記録装置３が監視カメラ２で撮影している映像を映像データとして格納し（Ｓ１０３）、当該信号をインターネット網１４を介してデータセンタ１０と監視サイト７のパソコン８へ送信する（Ｓ１０４）。
【００４４】
次に、各駅舎サイト１のカメラサーバ４は、映像データを送信する旨の要求の受信があったかどうかを判断する（Ｓ１０５）。このとき、各カメラサーバ４は、映像データを送信する旨の要求の受信があったと判断した場合には、記録装置３の映像データを要求元へ送信し（Ｓ１０６）、要求元から映像データを再生する旨の要求の受信があったかどうかを判断する。一方、手順Ｓ１０５において各カメラサーバ４は、映像データを送信する旨の要求の受信がないと判断した場合には、そのまま手順Ｓ１０６の動作に進む。
【００４５】
次に、手順Ｓ１０６において各カメラサーバ４は、記録装置３の映像データを再生する旨の要求の受信があったと判断した場合には、記録装置３に格納されている映像データを再生し（Ｓ１０８）、再生した映像をインターネット網１４を介して監視サイト７のパソコン８へ送信する（Ｓ１０９）。一方、手順Ｓ１０６において各カメラサーバ４は、記録装置３の映像データを再生する旨の要求の受信がないと判断した場合には、各監視対象の監視動作を継続する。
【００４６】
次に、手順Ｓ１０９において映像がパソコン８へ送信された後、各カメラサーバ４は、映像データの再生を終了する旨の要求の受信があったかどうかを判断する（Ｓ１１０）。このとき、各カメラサーバ４は、映像データの再生を終了する旨の要求の受信があったと判断した場合には、映像データの再生を終了する（Ｓ１１１）。そして、監視カメラ２によって撮影されている現在の映像をパソコン８へ送信し（Ｓ１１２）、各監視対象の監視動作を継続する。
【００４７】
このように構成した本実施形態によれば、各駅舎サイト１の監視カメラ２によって撮影された映像は記録装置３に記録されており、これらの映像はインターネット網１４を介して監視サイト７のパソコン８で静止画及び動画として表示されるので、監視者は表示された映像を確認することができる。そして、手順Ｓ１において各駅舎サイト１のセンサ６によって地震が発生したことを知らせる信号が出力された場合には、手順Ｓ５においてパソコン８の画面は画面変更手段によって通常発報画面８Ｂから広域災害画面８Ａに切り替わる。
【００４８】
このとき、手順Ｓ６においてパソコン８の画面上に映し出された広域災害画面８Ａの静止画表示部８Ａａに、各静止画が予め設定された優先順位に基づいて優先順位が高い順に画面の上部から下部に向かって配列されるので、監視者は早急に確認すべき監視対象の映像を容易に見分けることができる。従って、監視者は、手順Ｓ７においてパソコン８の画面上に映し出された広域災害画面８Ａにおいて静止画表示部８Ａａの各静止画の中から優先順位の高い静止画、すなわち静止画表示部８Ａａの最上部の静止画を選択することにより、選択された静止画に対応する動画が動画表示部８Ａｂに表示されるので、監視者はこの動画から地震を受けた監視対象の様子を詳細に知ることができる。これにより、各駅舎サイト１の監視対象に対して適切な対応を行うことができ、監視業務の確実性を向上させることができる。
【００４９】
また、本実施形態は、監視者は広域災害画面８Ａの日時指定部８Ａｇで日時を指定した後、検索ボタン８Ａｈを操作することにより、記録装置３に記録された映像の中から指定した日時以降の動画を動画表示部８Ａｂに表示できるので、動画の不要な部分を省くことができる。これにより、監視対象の映像の確認作業を効率良く行うことができる。
【００５０】
なお、上述した本実施形態では、広域災害として地震が発生した場合について説明したが、この場合に限らず、本発明は地震以外の洪水等の災害が発生した場合にも適用可能である。
【符号の説明】
【００５１】
１  駅舎サイト（被監視サイト）
２  監視カメラ
３  記録装置
４  カメラサーバ
６  センサ（広域災害信号手段）
７  監視サイト
８  パソコン
８Ａ  広域災害画面
８Ａａ，８Ｂａ  静止画表示部
８Ａｂ，８Ｂｂ  動画表示部
８Ａｃ，８Ｂｇ  操作開始ボタン
８Ａｄ，８Ｂｉ  開始／静止ボタン
８Ａｅ，８Ｂｈ  復帰ボタン
８Ａｆ，８Ｂｊ  逆再生ボタン
８Ａｇ，８Ｂｋ  日時指定部
８Ａｈ，８Ｂｌ  検索ボタン
８Ａｉ，８Ｂｍ  一覧表示部
８Ａｊ，８Ｂｆ  保留ボタン
８Ａｋ，８Ｂｅ  完了ボタン
８Ａｌ，８Ｂｃ  前移動ボタン
８Ａｍ，８Ｂｄ  次移動ボタン
８Ｂ  通常発報画面
８Ｂｎ  全件完了ボタン
１４  インターネット網
【図１】
0005639575.tif 000002
【図２】
0005639575.tif 000003
【図３】
0005639575.tif 000004
【図４】
0005639575.tif 000005
【図５】
0005639575.tif 000006